(57)【要約】【課題】凝縮水に起因するファン装置の異常の発生を未然に防止することの可能な可搬式の送風装置を提供する。【解決手段】可搬式の送風装置１０は、筒状容器２０と、ファン装置３０と、報知部９０とを備える。筒状容器２０は、内部に蓄冷材５０を収容する空間部２４を有し、空間部２４に空気を吸入するための吸入口２２１、及び内部の空気が吹き出される吹出口２１４が形成されている。ファン装置３０は、吸入口２２１から筒状容器２０の空間部２４に吸入された空気を吹出口２１４から吹き出す。報知部９０は、筒状容器２０の外周面に設けられ、筒状容器２０の姿勢が、蓄冷材５０で生成される凝縮水がファン装置３０に流れ難い適正姿勢であるか否かを報知する。【選択図】図１
2018123983.tif 000002
【特許請求の範囲】
【請求項１】
内部に蓄冷材を収容する空間部（２４）を有し、前記空間部に空気を吸入するための吸入口（２２１）、及び前記空間部から空気が吹き出される吹出口（２１４）が形成された筒状容器（２０）と、
前記吸入口から前記筒状容器の前記空間部に吸入された空気を前記吹出口から吹き出すファン装置（３０）と、
前記筒状容器の外周面に設けられ、前記筒状容器の姿勢が、前記蓄冷材で生成される凝縮水が前記ファン装置に流れ難い適正姿勢であるか否かを報知する報知部（９０）と、を備える
可搬式の送風装置。
【請求項２】
前記報知部は、鉛直方向に対する前記筒状容器の姿勢を色の変化により報知することで、前記筒状容器の姿勢が前記適正姿勢であるか否かを報知する
請求項１に記載の可搬式の送風装置。
【請求項３】
前記報知部は、前記筒状容器の姿勢が前記適正姿勢でないことを音により報知する
請求項１に記載の可搬式の送風装置。
【請求項４】
前記報知部は、前記筒状容器の姿勢が前記適正姿勢でないことを前記ファン装置の強制停止により報知する
請求項１に記載の可搬式の送風装置。
【請求項５】
前記筒状容器の外周面における前記吹出口の開口部分に設けられ、前記吹出口から吹き出される冷風が流れる流通路を有する絶縁性部材（７０）と、
前記絶縁性部材に接続され、前記吹出口から前記絶縁性部材の流通路を介して冷風が流れ込むホース（８０）と、を更に備える
請求項１〜４のいずれか一項に記載の可搬式の送風装置。
【発明の詳細な説明】
【技術分野】
【０００１】
本開示は、可搬式の送風装置に関する。
【背景技術】
【０００２】
従来、特許文献１に記載の可搬式の送風装置がある。特許文献１に記載の送風装置は、断熱性を有する保冷容器と、保冷容器の内部に収容される蓄冷材と、保冷容器内の空気を外部に排出するファンとを備えている。蓄冷材は、飲料が入った飲料容器を冷凍したものである。保冷容器の下部には、保冷容器の内部に空気を吸入するための吸気口が形成されている。保冷容器の上部には、保冷容器の内部を通過した空気を外部に吹き出す吹出口が形成されている。ファンは、吹出口に配置されている。ファンは、保冷容器の内部の空気を吸い込むとともに、吸い込んだ空気を吹出口を介して保冷容器の外部に流す。このファンにより生成される空気流により、保冷容器の吸気口から空気が吸い込まれるとともに、この空気が蓄冷材を通過した後、吹出口から吹き出される。この送風装置では、ファンにより送風される空気が保冷容器の内壁面と蓄冷材の外周面との間の隙間を通過する際に、蓄冷材と空気との間で熱交換が行われることにより、空気が冷却される。
【先行技術文献】
【特許文献】
【０００３】
【特許文献１】実用新案登録第３１１５９９５号公報
【発明の概要】
【発明が解決しようとする課題】
【０００４】
ところで、特許文献１に記載の送風装置では、空気と蓄冷材との間の熱交換により空気が冷却されることで、空気中の水分が蓄冷材の外面に凝縮される。すなわち、蓄冷材の外面に凝縮水が生成される。
一方、可搬式の送風装置では、その姿勢を自由に変更することができる。そのため、送風装置の姿勢によっては、蓄冷材の外面に生成された凝縮水がファンに流れる可能性がある。凝縮水がファンに流れると、ファンの電子部品にショート等の異常が生じる可能性があるため、好ましくない。
【０００５】
本開示は、こうした実情に鑑みてなされたものであり、その目的は、凝縮水に起因するファン装置の異常の発生を未然に防止することの可能な可搬式の送風装置を提供することにある。
【課題を解決するための手段】
【０００６】
上記課題を解決する可搬式の送風装置（１０）は、筒状容器（２０）と、ファン装置（３０）と、報知部（９０）と、を備える。筒状容器は、内部に蓄冷材を収容する空間部（２４）を有し、空間部に空気を吸入するための吸入口（２２１）、及び内部の空気が吹き出される吹出口（２１４）が形成されている。ファン装置は、吸入口から筒状容器の空間部に吸入された空気を吹出口から吹き出す。報知部は、筒状容器の外周面に設けられ、筒状容器の姿勢が、蓄冷材で生成される凝縮水がファン装置に流れ難い適正姿勢であるか否かを報知する。
【０００７】
この構成によれば、筒状容器の姿勢が適正姿勢でない場合には、その旨が報知部により報知される。これにより、筒状容器の姿勢が適正姿勢でないことをユーザに認知させることができるため、筒状容器の姿勢を適正姿勢に戻す等の対策をユーザに促すことができる。よって、凝縮水に起因するファン装置の異常の発生を未然に防止することが可能となる。
【０００８】
なお、上記手段、及び特許請求の範囲に記載の括弧内の符号は、後述する実施形態に記載の具体的手段との対応関係を示す一例である。
【発明の効果】
【０００９】
本開示によれば、凝縮水に起因するファン装置の異常の発生を未然に防止することの可能な可搬式の送風装置を提供できる。
【図面の簡単な説明】
【００１０】
【図１】図１は、第１実施形態の可搬式の送風装置の断面構造を示す断面図である。
【図２】図２は、図１のＩＩ−ＩＩ線に沿った断面構造を示す断面図である。
【図３】図３は、第１実施形態の報知部の正面構造を示す正面図である。
【図４】図４は、第１実施形態の報知部の着色部の正面構造を示す正面図である。
【図５】図５は、第１実施形態の可搬式の送風装置の動作例を模式的に示す図である。
【図６】図６は、第１実施形態の可搬式の送風装置の動作例を模式的に示す図である。
【図７】図７は、第１実施形態の可搬式の送風装置の動作例を模式的に示す図である。
【図８】図８は、第２実施形態の報知部の正面構造を示す正面図である。
【図９】図９は、第２実施形態の可搬式の送風装置の電気的な構成を示すブロック図である。
【図１０】図１０は、第３実施形態の報知部の正面構造を示す正面図である。
【図１１】図１１は、第３実施形態の可搬式の送風装置の電気的な構成を示すブロック図である。
【発明を実施するための形態】
【００１１】
＜第１実施形態＞
以下、可搬式の送風装置の第１実施形態について図面を参照しながら説明する。説明の理解を容易にするため、各図面において同一の構成要素に対しては可能な限り同一の符号を付して、重複する説明は省略する。
【００１２】
図１に示される本実施形態の送風装置１０は、持ち運びの可能な可搬式の送風装置である。送風装置１０は、筒状容器２０と、ファン装置３０と、台座４０と、蓄冷材５０と、支持部材６０と、絶縁性部材７０と、ホース８０と、報知部９０とを備えている。
筒状容器２０は、本体部２１と、上蓋部２２と、底蓋部２３とを有している。筒状容器２０は、例えば合成樹脂により形成される。
【００１３】
本体部２１は、軸線ｍ１を中心に筒状に形成されている。本体部２１の内部は、後述する蓄冷材５０が収容される空間部２４を有している。以下、軸線ｍ１に平行な方向を「筒状容器２０の軸方向」とも称する。本体部２１の内周面には、断熱材が被覆されている。なお、本体部２１を含め、筒状容器２０全体が断熱材により形成されていてもよい。
本体部２１の上端部には、雄ねじからなるねじ山が外周面に形成された雄ねじ部２１０が設けられている。また、本体部２１には、雄ねじ部２１０に対して本体部２１の中央寄りに隣接して拡径部２１１が形成されている。拡径部２１１は、本体部２１の中央部付近の部位よりも外径が大きく形成された部分である。本体部２１には、その中央部から拡径部２１１に至る部分に段差部２１２が形成されている。送風装置１０では、ユーザが段差部２１２に指等を引っ掛けることにより、ユーザが送風装置１０を持ち易くなっている。
【００１４】
本体部２１の下端部にも、雄ねじからなるねじ山が外周面に形成された雄ねじ部２１３が設けられている。また、本体部２１における雄ねじ部２１３よりも本体部２１の中央寄りの部位には、吹出口２１４が形成されている。吹出口２１４は、本体部２１の内周面から外周面に貫通するように形成されている。筒状容器２０の内部の空気は、この吹出口２１４から筒状容器２０の外部に吹き出される。
【００１５】
上蓋部２２は、軸線ｍ１を中心に筒状に形成されている。上蓋部２２における下端部の内周面には、雌ねじからなるねじ山が形成された雌ねじ部２２０が設けられている。この雌ねじ部２２０が本体部２１の雄ねじ部２１０に対してねじ作用により嵌め込まれている。すなわち、上蓋部２２は、本体部２１の上端部に着脱可能に組み付けられている。
【００１６】
上蓋部２２の外周面は、本体部２１の拡径部２１１の外周面と面一となっている。上蓋部２２の上端部の開口部は、筒状容器２０の外部の空気を筒状容器２０の内部に吸入するための吸入口２２１である。上蓋部２２の吸入口２２１には、その内部空間を格子状に区画するように網目部２２２が配置されている。網目部２２２は、上蓋部２２の内壁面に一体的に形成されている。網目部２２２は、筒状容器２０の外部から内部への空気の吸入を可能としつつ、その外部から内部への異物の進入を防ぐ部分として機能する。
【００１７】
上蓋部２２の吸入口２２１の中央部には、ファン装置３０が装着される装着部２２３が形成されている。詳しくは、装着部２２３は、有底円筒状に形成されている。装着部２２３の開口部の内周面には、その内部に突出する突出爪２２４が形成されている。この突出爪２２４にファン装置３０の係合部３２が係合することにより、ファン装置３０が上蓋部２２に一体的に組み付けられている。
【００１８】
上蓋部２２の内周面には、スイッチ装置３１が一体的に設けられている。スイッチ装置３１は、ファン装置３０の駆動及び停止を切り替えるためのものである。すなわち、ユーザは、網目部２２２の隙間に指を差し込んでスイッチ装置３１をオン／オフさせることにより、ファン装置３０の駆動及び停止を切り替えることができる。
【００１９】
ファン装置３０は、スイッチ装置３１がオン操作された際に、図示しない電池から供給される電力に基づき回転することにより、筒状容器２０の外部の空気を吸入口２２１を介して筒状容器２０の内部に吸入する。筒状容器２０の内部に吸入された空気は、筒状容器２０の吹出口２１４から筒状容器２０の外部に吹き出される。
【００２０】
底蓋部２３は、軸線ｍ１を中心に有底筒状に形成されている。底蓋部２３の上端部における開口部の内周面には、雌ねじからなるねじ山が形成された雌ねじ部２３０が設けられている。この雌ねじ部２３０が本体部２１の雄ねじ部２１３に対してねじ作用により嵌め込まれている。すなわち、底蓋部２３は、本体部２１の下端部に着脱可能に組み付けられている。
【００２１】
底蓋部２３の内周面には、本体部２１の径方向内側に突出する突出部２３２が一体的に形成されている。突出部２３２は、円環状に形成されている。突出部２３２には、台座４０が着座している。突出部２３２の基端部には、軸線ｍ１に平行な方向に突出部２３２を貫通する複数の貫通孔２３３が形成されている。
【００２２】
台座４０は、その下端部から上端部に向かって先細りとなるように筒状に形成されている。台座４０の底面は、突出部２３２に着座している。台座４０の上面は、蓄冷材５０を載せるための載置面となっている。台座４０の下端部には、突出部２３２の貫通孔２３３に連通される貫通孔４１が形成されている。
【００２３】
蓄冷材５０は、例えば飲料水が内部に充填された飲料容器である。蓄冷材５０は、ファン装置３０により筒状容器２０の内部に吸入される空気と熱交換することにより、空気を冷却する。筒状容器２０の本体部２１から上蓋部２２が取り外されることにより、蓄冷材５０を本体部２１の内部に収容すること、及び蓄冷材５０を本体部２１の内部から取り出すことが可能となる。筒状容器２０の吹出口２１４から冷風を吹き出すために、蓄冷材５０としては、例えば内部に充填されている飲料水等が凍った状態となっている飲料容器が用いられる。
【００２４】
支持部材６０は、筒状容器２０の内部に収容された蓄冷材５０を弾性支持する。図２に示されるように、支持部材６０は、軸材６１ａ〜６１ｃと、板材６２ａ〜６２ｃとを有している。支持部材６０は、弾性変形可能であって、且つ伝熱性を有するアルミや、ステンレス鋼等の金属材料により形成されている。
【００２５】
軸材６１ａ〜６１ｃは、軸線ｍ１に平行な方向に延びるように棒状に形成されるとともに、軸線ｍ１を中心とする周方向に等角度に配置されている。軸材６１ａ〜６１ｃは筒状容器２０の本体部２１の内周面に固定されている。
板材６２ａは、軸材６１ａと軸材６１ｂとの間に配置されるとともに、それらに一体的に接合されている。板材６２ｂは、軸材６１ｂと軸材６１ｃとの間に配置されるとともに、それらに一体的に接合されている。板材６２ｃは、軸材６１ｃと軸材６１ａとの間に配置されるとともに、それらに一体的に接合されている。
【００２６】
支持部材６０は、蓄冷材５０が取り出されている状態において、筒状容器２０の軸方向に直交する断面形状が三角筒状となるように形成されている。蓄冷材５０が支持部材６０の内部に収容された場合には、支持部材６０は、図２に示されるように弾性変形する。すなわち、板材６２ａ〜６２ｃのそれぞれの内周面が蓄冷材５０の外周面に接触することにより、板材６２ａ〜６２ｃが、軸線ｍ１を中心とする径方向外側、すなわち筒状容器２０の径方向外側に弾性変形する。これにより、板材６２ａ〜６２ｃから蓄冷材５０に弾性力が付与されるため、この弾性力により蓄冷材５０が支持される。
【００２７】
図１に示されるように、絶縁性部材７０は、筒状容器２０の外周面における吹出口２１４の開口部分に固定して設けられている。絶縁性部材７０には、吹出口２１４から吹き出される冷風が流れる流通路７１が形成されている。絶縁性部材７０は、電気的に絶縁性を有する材料、例えばゴム等により形成されている。
【００２８】
ホース８０は、絶縁性部材７０に接続されている。すなわち、ホース８０には、吹出口２１４から絶縁性部材７０の流通路７１を介して冷風が流れ込む。ホース８０に流れ込む冷風は、ホース８０の内部を通過してホース８０の先端部８１から吹き出される。ホース８０は蛇腹状に形成されている。これにより、ホース８０の先端部８１から吹き出される冷風の吹き出し方向を任意に変更することが可能となっている。
【００２９】
報知部９０は、筒状容器２０の本体部２１の外周面に設けられている。図３に示されるように、報知部９０は、着色部９１と、可動部９２とを有している。
図４に示されるように、着色部９１は、筒状容器２０の本体部２１に固定して設けられている。着色部９１は、軸線ｍ２を中心に円形状に形成されている。図１に示されるように、軸線ｍ２は、筒状容器２０の径方向に延びる直線である。図４に示されるように、着色部９１は、第１着色領域９１１と、第２着色領域９１２とを有している。
【００３０】
第１着色領域９１１は、軸線ｍ２を中心とし、且つ中心角θ１の扇形状の領域である。第１着色領域９１１は、第２着色領域９１２よりも上蓋部２２側に配置されている。軸線ｍ１に平行であって、且つ筒状容器２０の本体部２１の外周面を通る直線を軸線ｍ３とすると、第１着色領域９１１は、軸線ｍ３を中心角θ１の二等分線とする扇形状の領域として設定されている。第１着色領域９１１は、筒状容器２０の姿勢が適正姿勢であることを示す色、例えば青に着色されている。
【００３１】
第２着色領域９１２は、着色部９１において第１着色領域９１１以外の部分に設定されている領域である。第２着色領域９１２は、筒状容器２０の姿勢が適正姿勢でないことを示す色、例えば赤色に着色されている。
図３に示されるように、可動部９２は、着色部９１の表面を覆うように設けられている。可動部９２は、軸部９２０と、回転部９２１と、重り９２２とを有している。
【００３２】
軸部９２０は、着色部９１の中心から軸線ｍ２に沿って筒状容器２０の径方向外側に突出するように設けられている。軸部９２０は、筒状容器２０の本体部２１の外周面に固定されている。
回転部９２１は、着色部９１の直径よりも若干大きい直径を有する円形状の部材である。回転部９２１の中心部は、軸部９２０に回転可能に連結されている。すなわち、回転部９２１は、軸線ｍ２を中心に回転可能である。回転部９２１は、着色部９１を覆うように配置されている。回転部９２１には、軸線ｍ２に平行な方向に貫通する窓部９２３が形成されている。この窓部９２３を介して、着色部９１の色を部分的に視認することができるようになっている。
【００３３】
重り９２２は、回転部９２１において軸部９２０を挟んで窓部９２３とは反対側の部位に固定して設けられている。この重り９２２により、回転部９２１は、重り９２２が鉛直方向下方に位置するように軸部９２０を中心に回転する。
次に、本実施形態の送風装置１０の動作例について説明する。
【００３４】
送風装置１０をユーザが使用する前の時点では、筒状容器２０の内部に蓄冷材５０が収容されていない。そのため、送風装置１０を使用するための準備として、ユーザは筒状容器２０の内部に蓄冷材５０を収容する必要がある。すなわち、ユーザは、筒状容器２０の本体部２１から上蓋部２２を取り外した後、本体部２１の内部に、より詳しくは支持部材６０の内部に蓄冷材５０を収容する。この際、支持部材６０が図２に示されるように弾性変形することにより、蓄冷材５０が支持部材６０により弾性支持される。その後、ユーザが筒状容器２０の本体部２１に上蓋部２２を組み付けることにより、送風装置１０の使用準備が完了する。
【００３５】
ユーザは、冷風を吹き出す際には、スイッチ装置３１をオン操作すればよい。スイッチ装置３１がオン操作されると、ファン装置３０により筒状容器２０の吸入口２２１から筒状容器２０の内部に空気が吸入される。この空気は、図２に示される蓄冷材５０の外周面と支持部材６０の内周面との間の隙間、及び支持部材６０の外周面と筒状容器２０の内周面との間の隙間を通過する。
【００３６】
ファン装置３０から送風される空気が蓄冷材５０の外周面を通過する際、空気と蓄冷材５０との間で熱交換が行われることにより冷風が生成される。また、支持部材６０が蓄冷材５０に接触しているため、蓄冷材５０から支持部材６０に冷熱が伝達される。よって、ファン装置３０から送風される空気が支持部材６０の内周面及び外周面を通過する際、空気と支持部材６０との間で熱交換が行われることにより、空気が更に冷却される。このようにして生成された冷風は、筒状容器２０の吹出口２１４から絶縁性部材７０及びホース８０を通じてホース８０の先端部８１から吹き出される。
【００３７】
一方、空気との熱交換により蓄冷材５０の外周面には凝縮水が生成される。この凝縮水は、蓄冷材５０の外周面を下方に向かって流れるとともに、台座４０の貫通孔４１及び突出部２３２の貫通孔２３３を通過して筒状容器２０の底部２３１に貯留される。よって、吹出口２１４から凝縮水が飛散し難くなっている。
【００３８】
ところで、例えば上蓋部２２が水平方向よりも鉛直方向下方を向くような姿勢で送風装置１０が設置された場合、筒状容器２０の底部２３１に貯留される凝縮水がファン装置３０に流れる可能性がある。凝縮水がファン装置３０に流れると、ファン装置３０の電子部品にショート等の異常が生じる可能性があるため、好ましくない。
【００３９】
この点、本実施形態の送風装置１０では、図５に示されるように、上蓋部２２が鉛直方向上方を向くような姿勢で送風装置１０が設置されている場合、凝縮水は筒状容器２０の底部２３１に貯留された状態であるため、凝縮水がファン装置３０に流れる可能性が低い。
また、図６に示されるように、筒状容器２０の軸線ｍ１が鉛直方向に対して略４５度だけ傾斜するような姿勢で送風装置１０が設定されている場合には、筒状容器２０の底部２３１に貯留された凝縮水が本体部２１の内部まで進入する可能性はあるものの、凝縮水がファン装置３０に流れる可能性が低い。
【００４０】
本実施形態の送風装置１０では、図５及び図６に示されるような姿勢で送風装置１０が設置されている場合、報知部９０の窓部９２３には着色部９１の第１着色領域９１１が位置する。したがって、ユーザは、第１着色領域９１１に対応する色が窓部９２３から見えることをもって、筒状容器２０の姿勢が適正姿勢であると判断することができる。なお、適正姿勢とは、蓄冷材５０で生成された凝縮水がファン装置３０に流れ難い筒状容器２０の姿勢である。
【００４１】
一方、図７に示されるように、送風装置１０の姿勢が図６に示される姿勢よりも更に鉛直方向下方に傾いた場合、筒状容器２０の底部２３１に貯留されている凝縮水の水量によっては、凝縮水がファン装置３０に到達する可能性がある。このような状況では、報知部９０の窓部９２３には着色部９１の第２着色領域９１２が位置する。したがって、ユーザは、第２着色領域９１２に対応する色が窓部９２３から見えることをもって、筒状容器２０の姿勢が適正姿勢でないと判断することができる。
【００４２】
このように、本実施形態の報知部９０は、筒状容器２０の姿勢が、蓄冷材５０で生成された凝縮水がファン装置３０に流れ難い適正姿勢であるか否かを報知する部分として機能する。
以上説明した本実施形態の可搬式の送風装置１０によれば、以下の（１）〜（３）に示される作用及び効果を得ることができる。
【００４３】
（１）筒状容器２０の姿勢が適正姿勢でない場合には、その旨が報知部９０により報知される。これにより、筒状容器２０の姿勢が適正姿勢でないことをユーザに認知させることができるため、筒状容器２０の姿勢を適正姿勢に戻す等の対策をユーザに促すことができる。よって、凝縮水に起因するファン装置３０の異常の発生を未然に防止することが可能となる。
【００４４】
（２）報知部９０は、鉛直方向に対する筒状容器２０の姿勢を色の変化により報知することで、筒状容器２０の姿勢が適正姿勢であるか否かを報知する。これにより、筒状容器２０が適正姿勢であるか否かを報知する構成を簡素な構成で実現することができる。
（３）送風装置１０は、筒状容器２０の外周面における吹出口２１４の開口部分に設けられる絶縁性部材７０と、絶縁性部材７０に接続されるホース８０とを備える。これにより、仮に凝縮水がファン装置３０に到達することにより漏電が生じた場合でも、ホース８０への漏電を絶縁性部材７０より遮断することができる。
【００４５】
＜第２実施形態＞
次に、可搬式の送風装置１０の第２実施形態について説明する。以下、第１実施形態との相違点を中心に説明する。
図８に示されるように、本実施形態の報知部９０は、着色部９１に代えて、固定接点９３を有している。固定接点９３は、着色部９１の第２着色領域９１２に対応する領域において軸線ｍ２を中心に円弧状に延びるように配置されている。
【００４６】
また、本実施形態の回転部９２１には、窓部９２３に代えて、可動接点９４が設けられている。可動接点９４は、回転部９２１における固定接点９３に対向する表面に形成されている。可動接点９４は、回転部９２１の回転により固定接点９３の位置まで移動することにより、固定接点９３に電気的に接触する。
【００４７】
図９に示されるように、固定接点９３には、電池１００が電気的に接続されている。また、可動接点９４には、鳴動装置１１０が電気的に接続されている。鳴動装置１１０は、可動接点９４が固定接点９３に接触して電池１００から電力が供給されることで、警報音を発するように構成されている。
【００４８】
次に、本実施形態の可搬式の送風装置１０の動作例について説明する。
本実施形態の送風装置１０では、図５及び図６に示されるような姿勢で送風装置１０が設置されている場合、可動接点９４が固定接点９３に接触していない。したがって、鳴動装置１１０から警報音が発せられない。よって、ユーザは、鳴動装置１１０から警報音が発せられないことをもって、筒状容器２０の姿勢が適正姿勢であると判断することができる。
【００４９】
一方、図７に示されるような姿勢で送風装置１０が設置されている場合、可動接点９４が固定接点９３に接触するため、鳴動装置１１０から警報音が発せられる。したがって、ユーザは、鳴動装置１１０から警報音が発せられることをもって、筒状容器２０の姿勢が適正姿勢でないと判断することができる。
【００５０】
以上説明した本実施形態の可搬式の送風装置１０によれば、上記の（１）及び（３）に示される作用及び効果に加え、上記の（２）に代わる作用及び効果として、以下の（４）に示される作用及び効果を得ることができる。
（４）報知部９０は、筒状容器２０の姿勢が適正姿勢でないことを音により報知する。これにより、筒状容器２０の姿勢をユーザに更に認知させ易くなるため、凝縮水に起因するファン装置３０の異常の発生を更に防止し易くなる。
【００５１】
＜第３実施形態＞
次に、可搬式の送風装置１０の第３実施形態について説明する。以下、第１実施形態との相違点を中心に説明する。
図１０に示されるように、本実施形態の報知部９０は、着色部９１に代えて、固定接点９５を有している。固定接点９５は、着色部９１の第１着色領域９１１に対応する領域において軸線ｍ２を中心に円弧状に延びるように配置されている。
【００５２】
また、本実施形態の回転部９２１には、窓部９２３に代えて、可動接点９６が設けられている。可動接点９６は、回転部９２１における固定接点９５に対向する表面に形成されている。可動接点９６は、回転部９２１の回転により固定接点９５の位置まで移動することにより、固定接点９５に電気的に接触する。
【００５３】
図１１に示されるように、固定接点９５には、電池１００が電気的に接続されている。また、可動接点９６には、ファン装置３０が電気的に接続されている。
次に、本実施形態の可搬式の送風装置１０の動作例について説明する。
【００５４】
本実施形態の送風装置１０では、図５及び図６に示されるような姿勢で送風装置１０が設置されている場合、可動接点９６が固定接点９５に接触している。よって、ファン装置３０は駆動可能である。したがって、ユーザは、ファン装置３０が駆動していることをもって筒状容器２０の姿勢が適正姿勢であると判断することができる。
【００５５】
一方、図７に示されるような姿勢で送風装置１０が設置されている場合、可動接点９６が固定接点９５に接触しないため、ファン装置３０が強制的に停止する。したがって、ユーザは、ファン装置３０が強制停止することをもって、筒状容器２０の姿勢が適正姿勢でないと判断することができる。
【００５６】
以上説明した本実施形態の可搬式の送風装置１０によれば、上記の（１）及び（３）に示される作用及び効果に加え、上記の（２）に代わる作用及び効果として、以下の（５）に示される作用及び効果を得ることができる。
（５）報知部９０は、筒状容器２０の姿勢が適正姿勢でないことをファン装置３０の強制停止により報知する。これにより、筒状容器２０の姿勢をユーザに更に認知させ易くなるため、凝縮水に起因するファン装置３０の異常の発生を更に防止し易くなる。
【００５７】
＜他の実施形態＞
なお、各実施形態は、以下の形態にて実施することもできる。
・第１〜第３実施形態のそれぞれの送風装置１０の構成は、互いに組み合わせることが可能である。
【００５８】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００５９】
１０：可搬式の送風装置
２０：筒状容器
２４：空間部
３０：ファン装置
７０：絶縁性部材
８０：ホース
９０：報知部
２１４：吹出口
２２１：吸入口
【図１】
2018123983.tif 000003
【図２】
2018123983.tif 000004
【図３】
2018123983.tif 000005
【図４】
2018123983.tif 000006
【図５】
2018123983.tif 000007
【図６】
2018123983.tif 000008
【図７】
2018123983.tif 000009
【図８】
2018123983.tif 000010
【図９】
2018123983.tif 000011
【図１０】
2018123983.tif 000012
【図１１】
2018123983.tif 000013